(57)【要約】【課題】  ぶら下がりを可能にした健康器具と、足踏み運動や跳躍運動を可能にした運動器具とを合体した健康運動器具を提供する。【解決手段】  床上に設置されるベースフレームと、ベースフレーム上の運動空間に配置されユーザの足を弾性的に支持する板面を有する弾発板と、弾発板の背後近傍においてベースフレームから起立された支柱と、該支柱の上端部に連結され運動空間の上方でユーザのぶら下がりを可能とする握りバーとを備えた健康運動器具である。弾発板は、板面をほぼ水平姿勢とした状態で前記運動空間を占める使用位置と、板面を支柱に沿うようにほぼ鉛直姿勢とした状態で前記運動空間から退避する格納位置との間で、姿勢を変更自在とする姿勢変換手段を備えた構成である。【選択図】  図１
2006136608.tif 000002
【特許請求の範囲】
【請求項１】
床上に設置されるベースフレーム(2)と、該ベースフレーム上の運動空間(S)に配置されユーザの足を弾性的に支持する板面(7)を有する弾発板(3)と、該弾発板の背後近傍においてベースフレームから起立された支柱(4)と、該支柱の上端部に連結され運動空間(S)の上方でユーザのぶら下がりを可能とする握りバー(5)とを備えた健康運動器具であり、
前記弾発板(3)は、板面をほぼ水平姿勢とした状態で前記運動空間(S)を占める使用位置(X)と、板面を支柱に沿うようにほぼ鉛直姿勢とした状態で前記運動空間(S)から退避する格納位置(Y)との間で、姿勢を変更自在とする姿勢変換手段(8)を備えて成ることを特徴とする健康運動器具。
【請求項２】
床上に設置されるベースフレーム(2)と、該ベースフレーム上の運動空間(S)に配置されユーザの足を弾性的に支持する板面(7)を有する弾発板(3)と、該弾発板の背後近傍の両側においてベースフレームから起立された一対の支柱(4)(4)と、一対の支柱の上端部に架設され運動空間(S)の上方でユーザのぶら下がりを可能とする握りバー(5)とを備えた健康運動器具であり、
前記弾発板(3)は、板面をほぼ水平姿勢とした状態で前記運動空間(S)を占める使用位置(X)と、板面を支柱に沿うようにほぼ鉛直姿勢とした状態で前記運動空間(S)から退避する格納位置(Y)との間で、姿勢を変更自在とする姿勢変換手段を(8)備えており、
更に、一対の支柱(4)(4)から運動空間(S)の両側に臨んで配置された手摺りバー(6)(6)を備えて成ることを特徴とする健康運動器具。
【請求項３】
姿勢変換手段(8)は、弾発板(3)を使用位置(X)と格納位置(Y)との間で回動自在とするように弾発板の背後近傍部に設けられた軸支手段(8a)により構成されており、使用位置(X)における弾発板(3)をほぼ水平姿勢で床上に支持するための脚部材(26)を該弾発板の下側に設けており、
前記脚部材(26)は、弾発板(3)の下側面から突出する起立姿勢(x)と、該下側面に沿う折畳み姿勢(y)との間で、姿勢を変更自在とする転回手段(27)を設けて成ることを特徴とする請求項１又は２に記載の健康運動器具。
【発明の詳細な説明】
【技術分野】
【０００１】
本発明は、健康運動器具に関し、特に、ぶら下がりを可能にした健康器具と、足踏み運動や軽い跳躍運動を可能にした運動器具とを合体したものに関する。
【背景技術】
【０００２】
従来、ユーザが握りバーにぶら下がることにより、身体の背筋等を伸ばし、肩こりや腰痛の防止と健康の維持を可能にしたぶら下がり式の健康器具が公知である。一方、ユーザが弾発板の上で足踏み運動や軽い跳躍運動を行うことにより、歩行訓練やバランス感覚の育成を可能にしたトランポリン式の運動器具が公知である。
【特許文献１】特開２００１−３１４５２７公報
【特許文献２】特開２００３−６２１１９公報
【特許文献３】特開２００２−２１００３５公報
【発明の開示】
【発明が解決しようとする課題】
【０００３】
従来のぶら下がり式の健康器具はぶら下がり専用のものとされ、従来のトランポリン式の運動器具は跳躍運動専用のものとされているため、多目的性を有しない。従って、一般家庭において、それぞれの健康器具と運動器具を保有することは、コスト上の問題はもとより、設置スペースの問題がある。
【０００４】
そこで、本発明者は、ぶら下がり式の健康器具にトランポリン式の運動器具を合体させることにより、一般家庭等において簡便に使用できる健康運動器具を提供することが有利であることを知見した。
【０００５】
ところが、単純にぶら下がり式の健康器具とトランポリン式の運動器具を合体させた場合は、ぶら下がり器具として使用するときに、ユーザの足元にトランポリンが配置されているため、ユーザの着地姿勢が安定せず危険である。
【０００６】
一方、このような健康運動器具をユーザがトランポリン式の運動器具として足踏み運動や跳躍運動を行うように使用するためには、十分な安全を確保する必要がある。例えば、高齢者は、身体のバランス感覚が衰えているため、運動器具を使いこなすことにより十分な訓練を経るまで、危険が伴うからである。
【０００７】
更に、跳躍運動を行うための弾発板は、ユーザの体重等の荷重を受けるので、安定強固に設置できる構成とされていることが必要である。
【課題を解決するための手段】
【０００８】
本発明は、上述の課題を解決した健康運動器具を提供するものであり、その第一の手段として構成したところは、床上に設置されるベースフレームと、ベースフレーム上の運動空間に配置されユーザの足を弾性的に支持する板面を有する弾発板と、弾発板の背後近傍においてベースフレームから起立された支柱と、該支柱の上端部に連結され運動空間の上方でユーザのぶら下がりを可能とする握りバーとを備えた健康運動器具であり、前記弾発板は、板面をほぼ水平姿勢とした状態で前記運動空間を占める使用位置と、板面を支柱に沿うようにほぼ鉛直姿勢とした状態で前記運動空間から退避する格納位置との間で、姿勢を変更自在とする姿勢変換手段を備えて成る点にある。
【０００９】
また、本発明が第二の手段として構成したところは、床上に設置されるベースフレームと、ベースフレーム上の運動空間に配置されユーザの足を弾性的に支持する板面を有する弾発板と、弾発板の背後近傍の両側においてベースフレームから起立された一対の支柱と、一対の支柱の上端部に架設され運動空間の上方でユーザのぶら下がりを可能とする握りバーとを備えた健康運動器具であり、前記弾発板は、板面をほぼ水平姿勢とした状態で前記運動空間を占める使用位置と、板面を支柱に沿うようにほぼ鉛直姿勢とした状態で前記運動空間から退避する格納位置との間で、姿勢を変更自在とする姿勢変換手段を備えており、更に、一対の支柱から運動空間の両側に臨んで配置された手摺りバーを備えて成ることを特徴とする健康運動器具。
【００１０】
前記姿勢変換手段は、弾発板を使用位置と格納位置との間で回動自在とするように弾発板の背後近傍部に設けられた軸支手段により構成することが好ましい。また、弾発板は、使用位置において、該弾発板をほぼ水平姿勢で床上に支持するための脚部材を該弾発板の下側に設けていることが望ましく、該脚部材は、弾発板の下側面から突出する起立姿勢と、該下側面に沿う折畳み姿勢との間で、姿勢を変更自在とする転回手段を設けていることが好ましい。
【発明の効果】
【００１１】
本発明によれば、ぶら下がり式の健康器具と、トランポリン式の運動器具とが合体された健康運動器具を提供することができるので、コスト及び設置スペース等の点において、極めて有利である。この際、本発明によれば、弾発板３は、板面７をほぼ水平姿勢とした状態で運動空間Ｓを占める使用位置Ｘと、板面７を支柱４に沿うようにほぼ鉛直姿勢とした状態で運動空間Ｓから退避する格納位置Ｙとの間で、姿勢を変更自在とする姿勢変換手段８を備えているので、ユーザがぶら下がり式の健康運動を行うときには、弾発板３を格納位置Ｙに格納することにより運動空間Ｓを開放させ、好適にぶら下がり運動を行うことができるという効果がある。
【００１２】
そして、ユーザがトランポリン式の運動を行うときは、姿勢変換手段８により格納位置Ｙから使用位置Ｘに姿勢を変換させるだけで弾発板３を直ちに使用することが可能であり、この際、運動空間Ｓの両側には手摺りバー６、６が配置されているので、例えば高齢者のような足腰の弱いユーザが足踏み運動やジャンプ運動を行うに際しても、安全に運動を行うことができる。
【００１３】
更に、弾発板３に設けた脚部材２６は、転回手段２７により起立姿勢ｘと折畳み姿勢ｙとの間で姿勢を変更自在とされているので、弾発板３を使用位置Ｘに位置させることにより、ユーザが足踏み運動や跳躍運動を行うときは、起立姿勢ｘとした脚部材２６により弾発板３を堅固に支持できる反面、弾発板３を格納位置Ｙに位置させることにより、ユーザがぶら下がり健康運動を行うときは、該脚部材２６を折畳み姿勢ｙとすることにより、邪魔にならないように運動空間Ｓを開放せしめることができる。
【００１４】
因みに、本発明によれば、ユーザは、弾発板３を使用位置Ｘに設置した状態で、握りバー５にぶら下がることにより健康運動を行うことも可能である。この際、ユーザは、弾発板３の弾発力を利用して跳び上がることにより容易に握りバー５にぶら下がることができる。また、ユーザが握りバー５から手を放して着地する際には、弾発板３により着地時の衝撃が緩衝されるので、ユーザの膝や足首の負担を軽減できる。
【発明を実施するための最良の形態】
【００１５】
以下図面に基づいて本発明の好ましい実施形態を詳述する。
【００１６】
（全体の構成）
図１及び図２に示すように、健康運動器具１は、床上に設置されるベースフレーム２と、該ベースフレーム２の上方に位置する運動空間Ｓに配置された弾発板３と、弾発板３の背後近傍においてベースフレーム２から起立された支柱４と、該支柱４の上端部に連結され運動空間Ｓの上方でユーザのぶら下がりを可能とする握りバー５と、運動空間Ｓの両側に位置して弾発板３と握りバー５の間に配置された手摺りバー６とを備えている。
【００１７】
弾発板３は、後述するようなトランポリンを構成しており、ユーザがその上に起立したとき、ユーザの足を下方から弾性的に支持する板面７を有しており、図１に示すように板面７をほぼ水平姿勢とした状態で前記運動空間Ｓを占める使用位置Ｘと、図２に示すように板面７を支柱４に沿うようにほぼ鉛直姿勢とした状態で前記運動空間Ｓから退避する格納位置Ｙとの間で、姿勢を変更自在とする姿勢変換手段８を備えている。姿勢変換手段８は、弾発板３を使用位置Ｘと格納位置Ｙの間で回動自在とするように、弾発板３の背後近傍部とベースフレーム２の相互間に設けられた軸支手段８ａにより構成されている。
【００１８】
図３に分解状態を示すように、ベースフレーム２は、正面側（使用時におけるユーザの前側）に自由端を有する左右平行な一対の両側フレーム２ａ、２ａを背面側（使用時におけるユーザの後側）で横架フレーム２ｂにより連結したほぼコ字形又はＵ字形のパイプフレームにより構成されており、両側フレーム２ａ、２ａの自由端の近傍位置に上向き筒状の前側連結手段９ａを溶接等により固着すると共に、前側連結手段９ａと横架フレーム２ｂの中間よりやや後側の位置に上向き筒状の後側連結手段９ｂを溶接等により固着している。前側連結手段９ａの内側の側面には、前後方向に延びる座手段１０が溶接等で固着されている。また、後側連結手段９ｂには、姿勢変換手段８における軸支手段８ａの一部を構成する軸部材１１がブラケット１２を介して取付けられており、該軸部材１１にはナット１３が螺着自在である。尚、図例の場合、軸支手段８ａは、ベースフレーム２に取付けられているが、支柱４に取付けても良い。
【００１９】
支柱４は、左右一対の支柱により構成されていることが望ましく、図例の場合、下側支柱４ａ、４ａと、上側支柱４ｂ、４ｂを連結することにより、支柱４が形成される。下側支柱４ａ、４ａは、相互に、下端近傍部を下側連結バー１４ａにより連結されると共に、上端近傍部を背後側に膨らむほぼ門形の上側連結バー１４ｂにより連結され、該下側支柱４ａ、４ａの下端部を後側連結手段９ｂ、９ｂに挿入し図示省略したセットボルト等で固着することによりベースフレーム２から起立する。上側支柱４ｂ、４ｂは、下端部を下側支柱４ａ、４ａの上端部に挿入し該上端部に設けたセットボルト１５で固着することにより上方に伸縮自在に延設される。この際、図示省略しているが、上側支柱４ｂの下端部の軸方向に間隔をあけて複数の固着孔を設け、選択した固着孔に前記セットボルト１５を挿着するように構成することが好ましく、これによりユーザのぶら下がり時において上側支柱４ｂが収縮することなく体重を支承することができる。しかも、複数の固着孔を選択することにより、上側支柱４ｂの伸長する長さを軸方向距離Ｌの範囲で調節することができる。
【００２０】
上側支柱４ｂ、４ｂの下端近傍部の間には、布製その他の柔軟材により形成された安全ベルト１６が張設される。安全ベルト１６は、両端に筒状部１６ａ、１６ａを有するように縫製されており、筒状部１６ａ、１６ａに上側支柱４ｂ、４ｂが挿通される。
【００２１】
握りバー５は、門形のパイプ製の横架部材１７により構成され、該横架部材１７は、上側支柱４ｂ、４ｂの上端部を挿入固着する垂直部１７ａから前方に傾斜して屈曲された傾斜部１７ｂを備え、傾斜部１７ｂ、１７ｂの間に架設状に延びる水平部１７ｃを備えており、傾斜部１７ｂ、１７ｂの上端近傍部から水平部１７ｃを弾性材から成る被覆材１８により被覆し、該被覆材１８の部分により、運動空間Ｓの上方に位置する握りバー５を構成する。
【００２２】
手摺りバー６、６は、下端部を前側連結手段９ａに挿入されると共に図示省略したセットボルト等で固着することによりベースフレーム２から後傾状態で起立する柱部６ａと、該柱部６ａから水平方向に折曲され下側支柱４ａの上端近傍部に連結固定される水平部６ｂとを備えたパイプフレームから構成されており、柱部６ａの上端近傍部から水平部６ｂを弾性材から成る被覆材１９により被覆しており、該被覆材１９、１９の部分により、運動空間Ｓの両側に位置する手摺りを構成する。
【００２３】
弾発板３の詳細を図２及び図４に示している。弾発板３は、パイプから成る環状フレーム２０により囲まれた空間の中央部を上方から覆う弾発シート２１により板面７を構成している。弾発シート２１は、円形の外周縁に沿ってコード等から成る補強コアー２２を固着しており、該補強コアー２２と環状フレーム２０の間に多数のスプリング２３を張設している。スプリング２３は、弾発板３の放射方向に向かうように設けられ、弾発シート２２を環状フレーム２０に向けて緊張し、これによりトランポリンを構成する。
【００２４】
弾発シート２１と環状フレーム２０の間に位置する環状空間は、上方から環状のカバーシート２４により覆われ、該カバーシート２４によりスプリング２３を上方から覆っている。カバーシート２４の内周縁は、弾発シート２１の外周縁に縫合等により接合することが好ましく、カバーシート２４の外周縁は、環状フレーム２０の外周部から下周部を抱持するように巻き込まれている。尚、環状フレーム２０の下周部において収縮するゴム紐等の弾性材をカバーシート２４の外周縁に周設し、抱持状態を保持するように構成することが好ましい。
【００２５】
図２及び図４に示すように、弾発板３の環状フレーム２０には、後側近傍部に位置して軸受部材２５が固着されており、上述した軸部材１１を軸受部材２５に挿通した状態でナット１３を螺着し、このようにして得られる軸支手段８ａにより姿勢変換手段８を構成している。
【００２６】
弾発板３は、姿勢変換手段８により、図１及び図４に示すような使用位置Ｘに回動されほぼ水平姿勢とされた状態で、環状フレーム２０の前側部分を座手段１０の上に載置される。従って、弾発シート２１にユーザの体重が作用したときでも、環状フレーム２０の前側部分は座手段１０により支持される。そこで、環状フレーム２０の後側部分には、脚部材２６が設けられている。この脚部材２６は、環状フレーム２０の下側面から突出する起立姿勢ｘ（図４参照）と、環状フレーム２０の下側面に沿う折畳み姿勢ｙとの間で、姿勢を変換自在とする転回手段２７を設けている。図例の場合、転回手段２７は、環状フレーム２０の下側面に固着されたブラケット２８と、脚部材２６をブラケット２８に対して回動自在に枢結するピン２９とから構成されている。この際、転回手段２７は、脚部材２６が折畳み姿勢ｙで環状フレーム２０の外周にはみ出さないようにすることが望ましく、図例のようにブラケット２８から環状フレーム２０の内側に向けて脚部材２６を折畳むように構成することが好ましい。
【００２７】
更に、弾発板３の前側近傍部には、保持補助手段３０を設けることが好ましく、例えば、展開状態から丸めることが可能なテープ片３０ａに、丸めた状態で相互に係着する面ファスナー等の係着手段３０ｂを設けることにより保持補助手段３０を構成することができる。
【００２８】
上記構成の健康運動器具１によれば、ぶら下がり式の健康器具と、トランポリン式の運動器具との２つの器具としての使用が選択的に可能である。
【００２９】
トランポリン式の運動器具として使用するときは、図１及び図４に示すように、弾発板３は、姿勢変換手段８により、板面７をほぼ水平姿勢とした状態で運動空間Ｓを占める使用位置Ｘに固定保持される。即ち、脚部材２６を起立姿勢ｘに保持した状態で、軸部材１１を支点として弾発板３を使用位置Ｘまで回動すると、弾発板３は、前側を座手段１０、１０により支持されると共に、後側を脚部材２６、２６により支持され、このとき板面７をほぼ水平姿勢とされる。そこで、ユーザが弾発板３の板面７の上に起立したとき、板面７を構成する弾発シート２１に対してスプリング２３による張力が作用するので、ユーザが足踏み運動や跳躍運動を行うと、弾発シート２１が好適に反発する。この際、図４に鎖線で示すように、保持補助手段３０を前側連結手段９ａ又は両側フレーム２ａその他に抱持せしめ、弾発板３の前端部が浮き上がらないように固定することができる。
【００３０】
弾発板３の上でユーザが足踏み運動や跳躍運動を行うと、板面７の弾発シート２１が反発するので、ユーザは転倒しないように身体のバランスをとらなければならず、これによりユーザのバランス感覚が養われる。同様にして歩行訓練が可能になる。この際、ユーザは、もしも、バランスを崩しそうになったときは、運動空間Ｓの両側に設けられた手摺りバー６、６を把持することにより身体を支えることができる。従って、転倒による負傷の危険を防止し、安全に運動を行うことができる。
【００３１】
ぶら下がり式の健康器具として使用するときは、図２及び図５に示すように、弾発板３は、姿勢変換手段８により、板面７をほぼ鉛直姿勢とした状態で運動空間Ｓから退避する格納位置Ｙに固定保持される。即ち、軸部材１１を支点として弾発板３を使用位置Ｘから格納位置Ｙまで回動すると、弾発板３は、支柱４、４に沿うように鉛直姿勢とされる。脚部材２６は、起立姿勢ｘから折畳み姿勢ｙに折畳み保持される。この際、保持補助手段３０を支柱４に抱持せしめ、格納位置Ｙから使用位置Ｘに向けて倒れないように弾発板３を保持することができる。
【００３２】
これにより運動空間Ｓは、弾発板３を有しない自由に開放した空間とされるので、ユーザは、握りバー５に飛びつくことにより、従来のぶら下がり式の健康器具と同様の背筋伸ばしによる健康維持を行うことができる。
【００３３】
ところで、ぶらさがり式の健康器具として使用するとき、前述のように弾発板３を格納位置Ｙに退避させる場合と、弾発板３を使用位置Ｘに設置する場合との二つの使用方法が可能である。弾発板３を使用位置Ｘに設置した状態でぶら下がりを行う場合、ユーザは、弾発板３の弾発力を利用して跳び上がることにより容易に握りバー５にぶら下がることが可能になる。また、ユーザが握りバー５から手を放して着地する際には、弾発板３により着地時の衝撃が緩衝され、ユーザの膝や足首の負担を軽減できる。
【図面の簡単な説明】
【００３４】
【図１】本発明に係る健康運動器具の１実施形態を示し、弾発板を使用位置に保持せしめることによりトランポリン式の運動器具として使用する状態を示す斜視図である。
【図２】本発明に係る健康運動器具の１実施形態を示し、弾発板を格納位置に保持せしめることによりぶら下がり式の健康器具として使用する状態を示す斜視図である。
【図３】本発明に係る健康運動器具の１実施形態の分解状態を示す斜視図である。
【図４】使用位置における弾発板を示す断面図である。
【図５】格納位置における弾発板を示す断面図である。
【符号の説明】
【００３５】
１    健康運動器具
２    ベースフレーム
３    弾発板
４    支柱
５    握りバー
６    手摺りバー
７    板面
８    姿勢変換手段
８ａ  軸支手段
９ａ  前側連結手段
９ｂ  後側連結手段
１０    座手段
２６    脚部材
【図１】
2006136608.tif 000003
【図２】
2006136608.tif 000004
【図３】
2006136608.tif 000005
【図４】
2006136608.tif 000006
【図５】
2006136608.tif 000007